(57)【要約】【課題】多種の記録ヘッドを用意することなく、種々の記録モードを確実に実行することができる記録ヘッドおよび記録装置を提供すること。  【解決手段】記録ヘッド２１Ｃは、記録装置のキャリッジ２２に対して第１および第２姿勢の異なる姿勢で装着可能であり、記録ヘッド２１Ｃ側の電気コンタクト３１ａ，３１ｂは、キャリッジ２２側の電気接続部５１ａ，５１ｂに電気的に接続される。【選択図】図５
2007144713.tif 000002
【特許請求の範囲】
【請求項１】
記録装置のヘッド装着部に装着可能な記録ヘッド本体に、前記ヘッド装着部側の電気接続部と電気的に接続される電気コンタクトと、この電気コンタクトから入力した信号に基づいて駆動される複数の記録素子と、を備える記録ヘッドにおいて、
前記記録ヘッド本体は、前記ヘッド装着部に対して第１および第２姿勢の異なる姿勢で装着可能であり、
前記電気コンタクトは、前記記録ヘッド本体の装着姿勢に応じて前記電気接続部に対する接続状態が変化する第１および第２電気コンタクトを含む
ことを特徴とする記録ヘッド。
【請求項２】
前記記録ヘッド本体の第１姿勢は、前記記録素子を被記録媒体の表面と対向させる姿勢であり、
前記記録ヘッド本体の第２姿勢は、前記記録素子を被記録媒体の表面と対向させる姿勢であり、かつ前記被記録媒体の表面と直交する軸線を中心として、前記記録ヘッド本体を前記第１姿勢から１８０度回転させた姿勢である
ことを特徴とする請求項１に記載の記録ヘッド。
【請求項３】
前記第１および第２電気コンタクトに、前記記録ヘッド本体の装着姿勢を判別するための情報を与える情報提供手段を備えることを特徴とする請求項１または２に記載の記録ヘッド。
【請求項４】
請求項１から３のいずれかに記載の記録ヘッドを用いて画像の記録が可能な記録装置であって、
前記記録ヘッドを装着可能なヘッド装着部と、
前記ヘッド装着部に設けられて、前記記録ヘッドの第１または第２電気コンタクトの少なくとも一方に電気的に接続可能な電気接続部と、
前記ヘッド装着部に対する前記記録ヘッドの装着姿勢を判別する判別手段と、
前記判別手段の判別結果に基づいて画像の記録動作を制御する制御手段と、
を備えることを特徴とする記録装置。
【請求項５】
電気コンタクトと、この電気コンタクトから入力した信号に基づいて駆動される複数の記録素子と、を備える記録ヘッドを用いて、画像の記録動作が可能な記録装置であって、
前記記録ヘッドを第１および第２姿勢の異なる姿勢で装着可能なヘッド装着部と、
前記ヘッド装着部に設けられて、前記記録ヘッドが第１姿勢で装着されたときに前記電気コンタクトに接続される第１電気接続部と、
前記ヘッド装着部に設けられて、前記記録ヘッドが第２姿勢で装着されたときに前記電気コンタクトに接続される第２電気接続部と、
前記ヘッド装着部に対する前記記録ヘッドの装着姿勢を判別する判別手段と、
前記判別手段の判別結果に基づいて画像の記録動作を制御する制御手段と、
を備えることを特徴とする記録装置。
【発明の詳細な説明】
【技術分野】
【０００１】
本発明は、記録装置に装着可能な記録ヘッド、および記録ヘッドをヘッド装着部に装着して画像を記録可能な記録装置に関するものである。
【背景技術】
【０００２】
記録装置としては、プリンタ、複写機、ファクシミリ等の機能を有する記録装置、あるいはコンピューターやワードプロセッサ等を含む複合機やワークステーションの出力機器として用いられる記録装置がある。これらの記録装置は、画像情報に基づいて、用紙やプラスチック薄板（ＯＨＰなど）等の被記録媒体に画像（文字や記号なども含む）を記録するように構成されている。また、このような記録装置は、使用する記録手段の記録方式により、インクジェット式、ワイヤドット式、感熱式、熱転写式、レーザービーム式等に分けることができる。
【０００３】
また記録装置には、被記録媒体の搬送方向（副走査方向）と交差する主走査方向に記録走査するシリアルタイプのものがある。このようなシリアルタイプの記録装置は、被記録媒体を所定の記録位置にセットした後、被記録媒体の記録面に沿って主走査方向に移動するキャリッジ上の記録手段（記録ヘッド）によって、画像を記録（主走査）する。そして、１行分の記録を終了した後に、被記録媒体を副走査方向に所定量搬送（副走査）する。このような１行分の記録と被記録媒体の搬送とを繰り返すことにより、被記録媒体の記録領域の全域に渡って画像が記録される。
【０００４】
インクジェット記録装置は、記録手段としてのインクジェット記録ヘッドからインクを吐出することによって、被記録媒体に画像を記録する。このようなインクジェット記録装置には、インクジェット記録ヘッドのコンパクト化が容易であること、高精細な画像を高速で記録することができること、普通紙に特別の処理を必要とせずに記録ができることなどの利点がある。さらに、ランニングコストが安いこと、ノンインパクト方式であるため騒音が少ないこと、多色のインクを使用することによりカラー画像の記録が容易であることなどの利点がある。
【０００５】
近年、インクジェット記録装置では記録スピードの向上が重要なテーマとなっている。記録スピードを向上させる方法としては、記録ヘッドの駆動周波数を高めたり、記録ヘッドの往方向と復方向の双方向移動時に記録する双方向記録方式を採ったり、記録ヘッドを長尺化する方法などが一般的である。複数のノズル列から各色のインクを吐出可能な記録ヘッドを用いて、双方向記録方式により画像を記録する場合には、ノズル列の配列によっては、ヘッドの往走査時と復走査時において各色のインクの打ち込み順序が逆転することがある。この場合には、往走査と復走査による記録画像のつなぎ部分に、バンド状の色むらが発生するおそれがある。このような不具合を解消する方法としては、往走査と復走査において各色のインクの打ち込み順序が同じになるように、各色のインクを吐出する複数のノズル列を主走査方向に対照的に配列する方法がある。
【０００６】
また、記録ヘッドの長尺化は、その製造上、複雑な加工や処理を必要とするため極めて高価となり、コスト的に限度がある。そこで特許文献１には、複数の記録ヘッドをキャリッジに搭載して複数のノズル列の群を形成する場合に、それぞれのノズル列を副走査方向に順次オフセットさせる構成が記載されている。このような構成は、１回の記録走査時における復走査方向の記録範囲を増大させて、記録スピードを高めることを目的とするものである。
【０００７】
【特許文献１】特開平８−１８３１８８号公報
【発明の開示】
【発明が解決しようとする課題】
【０００８】
しかしながら、上記のように、複数のノズル列を副走査方向に順次オフセットさせる場合には、例えば、そのようにノズル列がオフセットされた記録ヘッドを予め複数用意してしなければならない。また、キャリッジにおける記録ヘッドの取り付け位置をオフセットさせる場合には、キャリッジの大型化、ひいては記録装置の大型化を招くことになる。
【０００９】
本発明の目的は、多種の記録ヘッドを用意することなく、種々の記録モードを確実に実行することができる記録ヘッドおよび記録装置を提供することにある。
【課題を解決するための手段】
【００１０】
本発明の記録ヘッドは、記録装置のヘッド装着部に装着可能な記録ヘッド本体に、前記ヘッド装着部側の電気接続部と電気的に接続される電気コンタクトと、この電気コンタクトから入力した信号に基づいて駆動される複数の記録素子と、を備える記録ヘッドにおいて、前記記録ヘッド本体は、前記ヘッド装着部に対して第１および第２姿勢の異なる姿勢で装着可能であり、前記電気コンタクトは、前記記録ヘッド本体の装着姿勢に応じて前記電気接続部に対する接続状態が変化する第１および第２電気コンタクトを含むことを特徴とする。
【００１１】
本発明の記録装置は、上記の記録ヘッドを用いて画像の記録が可能な記録装置であって、前記記録ヘッドを装着可能なヘッド装着部と、前記ヘッド装着部に設けられて、前記記録ヘッドの第１または第２電気コンタクトの少なくとも一方に電気的に接続可能な電気接続部と、前記ヘッド装着部に対する前記記録ヘッドの装着姿勢を判別する判別手段と、前記判別手段の判別結果に基づいて画像の記録動作を制御する制御手段と、を備えることを特徴とする。
【００１２】
本発明の記録装置は、電気コンタクトと、この電気コンタクトから入力した信号に基づいて駆動される複数の記録素子と、を備える記録ヘッドを用いて、画像の記録動作が可能な記録装置であって、前記記録ヘッドを第１および第２姿勢の異なる姿勢で装着可能なヘッド装着部と、前記ヘッド装着部に設けられて、前記記録ヘッドが第１姿勢で装着されたときに前記電気コンタクトに接続される第１電気接続部と、前記ヘッド装着部に設けられて、前記記録ヘッドが第２姿勢で装着されたときに前記電気コンタクトに接続される第２電気接続部と、前記ヘッド装着部に対する前記記録ヘッドの装着姿勢を判別する判別手段と、前記判別手段の判別結果に基づいて画像の記録動作を制御する制御手段と、を備えることを特徴とする。
【発明の効果】
【００１３】
本発明によれば、記録装置に対して記録ヘッドを第１および第２の異なる姿勢で装着可能であり、それぞれの装着姿勢において、記録装置側の電気接続部と記録ヘッド側の電気コンタクトとを電気的に接続することができる。したがって、記録ヘッドの装着姿勢を変更することにより、種々の記録モード、例えば、記録速度が高い高速記録モード、および記録ヘッドの双方向移動時に記録する双方向記録モードなどを実行することができる。
【発明を実施するための最良の形態】
【００１４】
以下、本発明の実施形態を図面に基づいて説明する。
（第１の実施形態）
図１は、本発明を適用可能なインクジェット記録装置の構成例を説明するための要部の斜視図である。
【００１５】
２１はインクジェット記録ヘッドであり、本例においては、ブラックインク吐出用の記録ヘッド２１Ｋとカラーインク吐出用の記録ヘッド２１Ｃとを含む。記録ヘッド２１Ｋは、その記録ヘッド本体に、Ｋ（ブラック）インクを収容するインクタンクを備える。また記録ヘッド２１Ｃは、その記録ヘッド本体に、Ｃ（シアン）、Ｍ（マゼンタ）、およびＹ（イエロー）のカラーインクを収容するインクタンクを備えている。記録ヘッド２１には、後述するように、対応するインクを吐出するための複数のノズルが列状に形成されている。このような記録ヘッド２１はキャリッジ２２に装着され、そのキャリッジ２２は、駆動モータ２３の駆動力を伝達する駆動ベルト２４の一部に連結されて、矢印Ｘの主走査方向に往復移動される。記録ヘッド２１は、記録紙等の被記録媒体２５の表面に対して僅かのギャップを保ったまま、キャリッジ２２と共に往復移動される。そして記録ヘッド２１は、このように往復移動しつつ、ノズルからインク滴を吐出することにより、被記録媒体２５に画像を記録する。
【００１６】
被記録媒体２５は、給紙搬送機構２６により記録ヘッド２１の移動方向と交差（本例においては、直交）する矢印Ｙの副走査方向に搬送される。記録ヘッド２１の記録走査による１行分の記録と、被記録媒体２５の所定量の搬送と、を繰り返すことにより、被記録媒体２５の記録領域の全域に画像を記録する。
【００１７】
記録ヘッド２１の往復範囲内にあって、かつ記録領域を外れた所定位置（例えば、ホームポジション）には、吸引回復キャップ２７が配設されている。この吸引回復キャップ２７内に、記録ヘッド２１の各ノズルからインクを強制的に排出させることにより、各ノズル内の増粘インク、固着インク、ゴミ、気泡等の異物を除去して、記録ヘッド２１の吐出機能を正常に回復（回復処理）させることができる。この吸引回復キャップ２７は、非記録動作時には、ノズルからのインクの蒸発を防ぐために記録ヘッド２１をキャッピングしている。また、ノズルから吸引回復キャップ２７内にインクを吐出（予備吐出）することによって、記録ヘッド２１の吐出機能を正常に回復（回復処理）させることもできる。
【００１８】
図２は、記録ヘッド２１Ｃをノズルの方向から見た斜視図、図３は、図２のＩＩＩ矢視図である。
【００１９】
インクジェット記録装置の記録制御手段は、ホスト装置（例えば、パーソナルコンピュータ（ＰＣ）等）からの画像信号に基づいて記録信号を出力する。その記録信号は、キャリッジ２２の不図示の電気接続部（以下、「電気接続ピン」という）から、図２中の電気コンタクト３１を介して記録ヘッド２１Ｃに伝達される。さらに、その記録信号は、電気配線部材（例えば、ＴＡＢ等）３２と電気接合部３３を通り、ノズルが配置されている記録チップ３４に送られる。記録ヘッド２１Ｃの中心軸１１は、記録ヘッド２１Ｃの中心を通り、かつ記録ヘッド２１Ｃがキャリッジ２２に搭載されたときに被記録媒体２５の面に対して垂直となる軸である。
【００２０】
記録チップ３４は、エッチング、蒸着、スパッタリング等の半導体製造プロセスを経てノズルが形成されたとものであり、本例の場合は、基板上に成膜された電気熱変換素子（ヒータ）の上に、インク流路や吐出口が形成されている。電気熱変換素子は、記録信号に応じた駆動電圧が印加されることにより発熱し、その熱エネルギーによりインクを発泡させる。そのときにおけるインク中の気泡の成長、収縮による圧力変化を利用して、吐出口からインク滴が吐出される。その吐出されたインク滴は、被記録媒体２５に着弾することによってインクドットを形成する。
【００２１】
記録チップ３４の中心Ｐは、図３のように、記録ヘッド２１Ｃの中心軸１１と異なる位置に設定されている。記録チップ３４には、シアン、マゼンタ、イエローのインクを吐出するノズル列３５Ｃ，３５Ｍ，３５Ｙを配備されている。
【００２２】
記録ヘッド２１Ｃは、図２のように中心軸１１を中心とする回転対称の形状となっており、中心軸１１を中心として１８０度回転させた２つの姿勢のいずれによっても、キャリッジ２２に装着できるように形成されている。すなわち記録ヘッド２１は、図３中のような姿勢、または、その図３中の姿勢から中心軸１１を中心として１８０度回転させた姿勢のいずれによっても、キャリッジ２２に装着することができる。記録ヘッド２１Ｃは、記録チップ３４が被記録媒体２５の表面と平行となり、かつ、その被記録媒体２５の表面に対して中心軸１１が垂直となるように、その中心軸１１に沿ってキャリッジ２２に装着される。
【００２３】
さらに、図２および図３に示すように、記録チップ３４と電気配線部材３２を介して接続される電気コンタクト３１は、記録ヘッド２１の外郭の２側面に第１および第２電気コンタクト３１ａ，３１ｂとして設けられている。これら２つの電気コンタクト３１ａ，３１ｂは、中心軸１１を中心とする回転対称の位置に配置されている。前述したように、キャリッジ２２に対する記録ヘッド２１Ｃの装着姿勢には、中心軸１１を中心として１８０度回転する前後の２つの姿勢がある。以下においては、一方の装着姿勢を通常の第１姿勢とし、かつ他方の装着姿勢を第２姿勢として説明する。記録ヘッド２１Ｃを通常の第１姿勢から１８０度回転させて第２姿勢とした場合は、第１，第２電気コンタクト３１ａ，３１ｂの位置が入れ替わることになる。すなわち、第１姿勢時における第１電気コンタクト３１ａの位置に第２電気コンタクト３１ｂが位置し、かつ第１姿勢時における第２電気コンタクト３１ｂの位置に第１電気コンタクト３１ａが位置することになる。
【００２４】
図４は、第１，第２電気コンタクト３１ａ，３１ｂと記録チップ３４との接続関係の説明図である。
【００２５】
第１電気コンタクト３１ａは、電気配線部材３２と第１電気接合部３３ａを介して記録チップ３４に電気的に接続され、第２電気コンタクト３１ｂは、電気配線部材３２と第２電気接合部３３ｂを介して記録チップ３４に電気的に接続されている。本例の場合、第１および第２電気コンタクト３１ａ，３１ｂはフレキシブルの電気配線部材３２の両端部分に設けられており、その電気配線部材３２の中央部分が第１および第２電気接合部３３ａ，３３ｂに接続されている。記録チップ３４に対しては、第１，第２電気コンタクト３１ａ，３１ｂのそれぞれから記録信号が分けて与えられる。
【００２６】
図５は、キャリッジ２２と記録ヘッド２１Ｃとの関係の説明図である。
【００２７】
図５のキャリッジ２２は、２つの記録ヘッド２１Ｃを装着可能な２つのヘッド装着部が設けられており、それぞれのヘッド装着部には、記録ヘッド２１Ｃの第１，第２電気コンタクト３１ａ，３１ｂと対峙する第１，第２接続ピン５１ａ，５１ｂが配置されている。これらの第１，第２接続ピン５１ａ，５１ｂをまとめて接続ピン５１ともいう。図５中左側の記録ヘッド２１Ｃは、通常の第１姿勢でキャリッジ２２に装着され、同図中右側の記録ヘッド２１Ｃは、第２姿勢でキャリッジ２２に装着されている。前者の第１姿勢においては、第１電気コンタクト３１ａが第１電気接続ピン５１ａに接続され、かつ第２の電気コンタクト３１ｂが第２電気接続ピン５１ｂに接続される。一方、後者の第２姿勢においては、第１電気コンタクト３１ａが第２電気接続ピン５１ｂに接続され、第２電気コンタクト３１ｂが第１電気接続ピン５１ａに接続される。
【００２８】
このような記録ヘッドとキャリッジの構成により、図５のように、キャリッジ２２に対して、同じ種類の２つの記録ヘッド２１Ｃを一方は第１姿勢で装着し、かつ他方は第２姿勢で装着することができる。このように２つの記録ヘッド２１Ｃを装着した場合、それらのノズル列３５は、図５のようにノズル列の長手方向にずれて位置する。そのノズル列の長手方向は、被記録媒体２５を搬送される矢印Ｙの副走査方向である。
【００２９】
図６（Ａ），（Ｂ）は、記録ヘッドの１回の記録走査による記録範囲の説明図である。
【００３０】
図６（Ａ）中の記録範囲６１は、図５のように２つの記録ヘッド２１Ｃをキャリッジ２２に装着して、それら２つの記録ヘッド２１Ｃの１回の記録走査による記録範囲である。図６（Ｂ）中の記録範囲６２は、１つの記録ヘッド２１Ｃをキャリッジ２２に装着して、その１つの記録ヘッド２１Ｃの１回の記録走査による記録範囲である。前者の場合には、記録範囲６１が記録範囲６２よりも大きくなるため、同一の記録面積に対する記録ヘッドの記録走査回数を減少させることができ、この結果、高速記録が可能となって記録時間を短縮することができる。
【００３１】
また、記録ヘッド２１Ｃの電気コンタクト３１（３１ａ，３１ｂ）には、記録ヘッド２１Ｃが第１姿勢または第２姿勢のいずれで装着されたかを判別するために、ヘッド回転判別端子ＩＤ（図４中の端子ＩＤ１，ＩＤ２）が備えられている。ヘッド回転判別端子ＩＤ１，ＩＤ２は、それらに異なる判別情報を提供するための情報提供部が接続されている。本例の場合、その情報提供部は、異なる情報を保持するＲＯＭである。また、その情報提供部は、や異なる抵抗値の抵抗などであってもよい。これらのＲＯＭや抵抗は、記録チップ３４に備えることができる。
【００３２】
図７は、記録装置の制御系の概略ブロック構成図である。
【００３３】
図７において、制御部１００はＣＰＵを含み、本記録装置の動作の制御処理やデータ処理等を実行する。記憶部１０１は、それらの処理手順等のプログラムが格納されたＲＯＭ、それらの処理を実行するためのワークエリアなどとして用いられるＲＡＭを含む。記録ヘッド２１からのインクの吐出は、制御部１００が電気熱変換素子（ヒータ）の駆動データ（画像データ）および駆動制御信号（ヒートパルス信号）をヘッドドライバ２１Ａに供給することにより行われる。ヘッドドライバ２１は、記録チップ３４に備えることができる。制御部１００は、キャリッジ２２を主走査方向に駆動するためのキャリッジモータ２３をモータドライバ２３Ａを介して制御し、また被記録媒体２５を副走査方向に搬送するためのＰ．Ｆモータ１０４をモータドライバ１０４Ａを介して制御する。
【００３４】
また制御部１００には、ヘッド回転判別部（ヘッド回転判別手段）１００Ａと記録制御部１００Ｂが含まれている。ヘッド回転判別部１００Ａは、キャリッジ２２に装着された記録ヘッド２１Ｃのヘッド回転判別端子ＩＤから判別情報を読み込み、記録ヘッド２１Ｃの装着姿勢が第１姿勢または第２姿勢のいずれであるかを判別する。その判別結果に応じて、記録制御部１００Ｂは、記録データの制御と、記録ヘッド２１Ｃの第１，第２電気コンタクト３１ａ，３１ｂに送信する信号の切り替えと、を行う。これにより記録制御部１００Ｂは、キャリッジ２２に対する記録ヘッドの装着姿勢に応じて、その記録ヘッドに記録信号を送信することができ、この結果、記録ヘッドの装着姿勢の如何に拘わらず所期の記録動作を実行することができる。
【００３５】
以上においては、主に、カラーインク吐出用の記録ヘッド２１Ｃについて説明した。しかし、ブラックインク吐出用の記録ヘッド２１Ｋも記録ヘッド２１Ｃと同様に構成することにより、図８のように、その記録ヘッド２１Ｋの２つを第１姿勢および第２姿勢でキャリッジ２２に装着することができる。この図８のように２つの記録ヘッド２１Ｋを装着することにより、前述した図５および図６の場合と同様に、１回の記録走査による記録範囲を拡大して、モノクロ画像の高速記録が可能となって記録時間を短縮することができる。
【００３６】
また図９のように、ブラックインク吐出用の記録ヘッド２１Ｋとカラーインク吐出用の記録ヘッド２１Ｃをキャリッジ２２に装着することにより、写真を高品位に記録することができる。また、多色の画像部分（カラー部）と黒の文字部分（ブラック部）とが混在するＤＴＰなどの記録において、文字品位とカラー画質品位とを両立させることができる。
【００３７】
以上のように、記録ヘッド２１は、中心軸１１を中心として１８０度回転させてもキャリッジ２２に装着することができる。また、記録チップ３４の中心Ｐが中心軸１１からずれているため、記録ヘッド２１の装着姿勢に応じて、ノズルの配列構成を様々に変更することができる。すなわち図９のように、従来と同様に、ブラックインク吐出用の記録ヘッド４１ａとカラーインク吐出用の記録ヘッド４１ｂとを組み合わせたノズル構成ができる。さらに、高速記録を実現するために、図５および図８のように、２つの同じ記録ヘッド２１の一方を第１姿勢かつ他方を第２姿勢とすることができる。このように、記録モードに応じて、ノズルの配列構成を最適に設定することができる。
【００３８】
また、本実施形態における記録ヘッドの特徴的な構成を挙げると次のとおりである。
【００３９】
複数のノズルを構成する記録ヘッドの複数の記録素子は点対象に配備され、その点対象の中心から中心軸１１の軸線がずれている。複数の記録素子は、列状に配備されてインクを吐出可能な複数のノズルを構成する。複数のノズルの列は点対象に形成され、その点対象の中心から、中心軸１１の軸線がノズルの列の長さの１／２ずれている。第１および第２電気コンタクトは、中心軸１１の軸線を中心として点対象の配置されている。記録ヘッドにおける複数の記録素子は、記録ヘッド本体に取り付けられる記録チップに配備され、その記録チップに、記録素子に電気的に接続される電気接合部が設けられ、第１および第２電気コンタクトは電気接合部に電気的に接続される。その電気接合部は、第１および第２電気接合部に分けて設けられ、第１電気コンタクトは第１電気接合部に接続され、第２電気コンタクトは第２電気接合部に接続される。第１および第２電気コンタクトは、電気接合部に電気的に接続される電気配線部材に設けられる。互いに交差する記録ヘッド本体の面の一方に記録チップを取り付け、それらの面の他方に、第１および第２電気コンタクトを配置する。第１および第２電気コンタクトに、記録ヘッド本体の装着姿勢を判別するための情報を与える情報提供手段を備える。その情報提供手段は、情報を記憶する記憶素子を含む。また、その情報提供手段は、第１および第２電気コンタクトに異なる情報を提供する。
【００４０】
本実施形態における記録装置の特徴的な構成を挙げると次のとおりである。
【００４１】
上記のような記録ヘッドを用いて画像の記録が可能な記録装置であって、記録ヘッドを装着可能なヘッド装着部と、そのヘッド装着部に設けられて、記録ヘッドの第１または第２電気コンタクトの少なくとも一方に電気的に接続可能な電気接続部と、を備える。さらに、ヘッド装着部に対する記録ヘッドの装着姿勢を判別する判別手段と、その判別手段の判別結果に基づいて画像の記録動作を制御する制御手段と、を備える。電気接続部は、記録ヘッドの装着姿勢に応じて第１および第２電気コンタクトに対する接続状態が変化し、判別手段は、第１および第２電気コンタクトに対する電気接続部の接続状態に基づいて記録ヘッドの装着姿勢を判別する。電気接続部は第１および第２電気接続部を含み、第１電気接続部は、記録ヘッドが第１姿勢で装着されたときに第１電気コンタクトに接続され、記録ヘッドが第２姿勢で装着されたときに第２電気コンタクトに接続される。一方、第２電気接続部は、記録ヘッドが第１姿勢で装着されたときに第２電気コンタクトに接続され、記録ヘッドが第２姿勢で装着されたときに第１電気コンタクトに接続される。
【００４２】
また、電気コンタクトと、この電気コンタクトから入力した信号に基づいて駆動される複数の記録素子と、を備える記録ヘッドを用いて、画像の記録動作が可能な記録装置であって、ヘッド装着部、第１および第２電気接続部、判別手段、および制御手段を備える。ヘッド装着部は、記録ヘッドを第１および第２姿勢の異なる姿勢で装着可能である。第１電気接続部は、ヘッド装着部に設けられて、記録ヘッドが第１姿勢で装着されたときに電気コンタクトに接続され、第２電気接続部は、ヘッド装着部に設けられて、記録ヘッドが第２姿勢で装着されたときに電気コンタクトに接続される。判別手段は、ヘッド装着部に対する記録ヘッドの装着姿勢を判別し、制御手段は、その判別手段の判別結果に基づいて画像の記録動作を制御する。
【００４３】
このような記録装置において、判別手段は、電気コンタクトに対する第１および第２電気接続部の接続状態に基づいて記録ヘッドの装着姿勢を判別する。またヘッド装着部は、被記録媒体に沿って往復移動するキャリッジに設けられ、かつ記録ヘッドを２つ以上装着可能である。また制御手段は、ヘッド装着部に同じ姿勢で装着された２つ以上の同一の記録ヘッドを用いて記録をするときに、記録ヘッドを１つ用いて画像を記録するときよりもキャリッジの移動速度が高い高速記録モードを設定する。
【００４４】
（第２の実施形態）
次に本発明の第２の実施形態について説明する。前述した第１の実施形態と同様の部分については、同一符号を付して説明を省略する。
【００４５】
図１０は、本実施形態における記録ヘッド２１Ｃの底面図である。本例の記録ヘッド２１Ｃは、記録チップ３４の中心Ｐが記録ヘッド２１Ｃの中心軸１１と同じ位置に設定されている。図１１は、このような記録ヘッド２１Ｃの２つをキャリッジ２２に装着した場合の例であり、それらの記録ヘッド２１Ｃの一方が第１姿勢とされ、かつ他方が第２姿勢とされている。これら２つの記録ヘッド２１Ｃにおけるノズル列３５は、それらの長手方向において同じ位置に配置される。
【００４６】
図１１のようなノズルの配列構成の場合、キャリッジ２２の往復移動方向におけるノズル列３５の配列順序は、３５Ｃ，３５Ｍ，３５Ｙ，３５Ｙ，３５Ｍ，３５Ｃとなり、インク色ではＣ，Ｍ，Ｙ，Ｙ，Ｍ，Ｃの順序となる。したがって、インクの打ち込み順序をＣ→Ｍ→Ｙ→Ｙ→Ｍ→Ｃと対称的に設定することができる。したがって、双方向記録時におけるカラーインクの打ち込み順序を同一として、高品位の画像を高速記録することができる。また、矢印Ｘ１，Ｘ２の往走査と復走査において２つの記録ヘッド２１Ｃを使い分けることにより、走査方向に拘わらず、インクの打ち込み順序を同じＣ→Ｍ→Ｙとすることもできる。仮に、カラーインク吐出用の記録ヘッド２１Ｃを１つ用いて双方向記録を行う場合、往走査時のインクの打ち込み順序がＣ→Ｍ→Ｙのときには、復走査時のインクの打ち込みは逆のＹ→Ｍ→Ｃとなり、バンド状の色むらが生じるおそれがある。
【００４７】
このように、記録ヘッド２１Ｃは、それを中心軸１１を中心として１８０度回転させてもキャリッジ２２に装着することができる。さらに、記録チップ３４の中心Ｐを中心軸１１と同じ位置に設定したことにより、記録ヘッド２１Ｋと記録ヘッド２１Ｃとを組み合わせたノズルの配列構成だけでなく、図１１のように、２つの記録ヘッド２１Ｃを用いたノズルの配列構成とすることができる。図１１のように、２つの記録ヘッドの一方を第１姿勢、他方を第２姿勢とすることにより、例えば、高品質なカラー写真などを高速記録することができる。このように、記録画像や記録速度などに応じて、装着する記録ヘッドと装着姿勢を選択することにより、最適なノズルの配列構成を実現することができる。
【００４８】
本実施形態における特徴的な構成は、記録ヘッドにおける複数の記録素子が点対象に配備され、その点対象の中心に中心軸１１の軸線があることである。
【００４９】
（第３の実施形態）
図１２および図１３は、本発明の第３の実施形態を説明するための図であり、前述した第１の実施形態と同様の部分には同一符号を付して説明を省略する。
【００５０】
図１２は、記録ヘッド２１における電気コンタクト３１（３１ａ，３１ｂ）と電気接合部３３（３３ａ，３３ｂ）との接続関係を示している。記録ヘッド２１の電気接合部３３（３３ａ，３３ｂ）の全ての端子は、第１の電気コンタクト３１ａと第２の電気コンタクト３１ｂに対して、電気配線部材３２を介して並列的に接続されている。したがって、記録ヘッド２１が１８０度回転しても、第１の電気コンタクト３１ａもしくは第２の電気コンタクト３１ｂのどちらかにキャリッジ２２の電気接続ピン５１が接続されれば、記録本体からの記録信号を記録ヘッド２１に伝達することができる。よって、キャリッジ２２の電気接続ピン５１は、図１３のように、記録ヘッド装着部における片側の１箇所配置するだけでよい。
【００５１】
このように記録ヘッドを構成することにより、キャリッジ側の電気接続ピンが従来と同様の構成であっても、記録ヘッドを第１または第２姿勢のいずれによってもキャリッジに装着することができる。
【００５２】
また、キャリッジにおける記録ヘッドの装着位置、および電気接続ピンの形成位置を考慮することにより、各記録ヘッドのノズル列がキャリッジの移動方向に直交する方向において互いにずれるように、３個以上の記録ヘッドをキャリッジに装着することもできる。
【００５３】
本実施形態における特徴的な構成は、電気接合部が第１および第２電気接合部に分けて設けられて、第１電気コンタクトが第１および第２電気接合部のそれぞれに接続され、第２電気コンタクトが第１および第２電気接合部のそれぞれに接続されることである。
【００５４】
（第４の実施形態）
図１４および図１５は、前述した第１の実施形態（図１から図９参照）の記録ヘッド２１を用いて画像を記録する場合の記録制御方法の説明図である。
【００５５】
まず、図１４のステップＳ７０１にて、キャリッジ２２に装着されている記録ヘッド２１の装着方向（装着姿勢）に関する情報を取得する。すなわち、記録装置本体のヘッド回転判別部（ヘッド回転判別手段）１００Ａ（図７参照）が記録ヘッド２１のヘッド回転判別端子ＩＤ（ＩＤ１，ＩＤ２）から、記憶素子ＲＯＭに書き込まれている情報を読み込み、記録ヘッド２１の装着姿勢を判別する。より具体的には、キャリッジ２２に備わる対の電気接続部５１ａ，５１ｂの内の一方を用いて、ヘッド回転判別部１００Ａが記憶素子ＲＯＭに書き込まれている情報を読み込む。２つの電気コンタクト３１ａ，３１ｂには、記憶素子ＲＯＭから異なる情報が出力される。したがって、ヘッド回転判別部１００Ａが情報を判別することは、情報を読み込みに用いた電気接続部５１ａ，５１ｂの一方に対して、電気コンタクト３１ａ，３１ｂのどちらが接続しているかを判別することになる。この結果、記録ヘッド２１が第１または第２姿勢のいずれによって装着されているかを判別することができる。
【００５６】
なお、ヘッド回転判別部１００Ａは、記録ヘッド２１の装着姿勢を判別するために、キャリッジ２２に備わる２つの電気接続部５１ａ，５１ｂの両方から、記憶素子ＲＯＭの情報を読み込んでもよい。
【００５７】
次に、図１５の記録制御テーブルを参照し（ステップＳ７０２）、ステップＳ７０１にて記録ヘッド２１の装着姿勢の判別結果に応じて、記録制御部（記録制御手段）１００Ｂ（図７参照）が記録モードを確定する（ステップＳ７０３）。
【００５８】
本例の記録制御テーブル（図１５参照）においては、キャリッジ２２の図５中の左側に装着されるカラーインク吐出用の記録ヘッド２１Ｃをヘッド（１）、かつ図５中の右側に装着されるカラーインク吐出用の記録ヘッド２１Ｃをヘッド（２）としている。また、図５中左側のヘッド（１）のような装着姿勢を第１の装着方向の第１姿勢とし、図５中右側のヘッド（２）のような装着姿勢を第２の装着方向の第２姿勢としている。また、吐出タイミング（１）は、ヘッド（１）が矢印Ｘ１方向に記録走査するときのＣ，Ｍ，Ｙのインクの吐出タイミングであり、吐出タイミング（２）は、ヘッド（２）が矢印Ｘ１方向に記録走査するときのＣ，Ｍ，Ｙのインクの吐出タイミングである。本例における記録ヘッド２１Ｃは、ノズル列の長さＬ（図５参照）が０．２１インチである。記録チップ３４の中心Ｐと記録ヘッド２１Ｃの中心軸１１は、長さＬの１／２だけずれている。また後述するように、主走査方向における記録密度は１２００ｄｐｉ（ドット／インチ）または２４００ｄｐｉ（ドット／インチ）に設定可能であり、被記録媒体２５の送り量（紙送り量）は０．２１インチまたは０．４２インチに設定可能である。また、キャリッジ２２の移動速度（キャリッジスピード）は、２０インチ／秒に設定可能である。
【００５９】
キャリッジ２２に対するヘッド（１），（２）の装着姿勢の組み合わせは４通りとなり、それらの組み合わせに応じた記録制御方法として、４つの記録制御（１），（２），（３），（４）のいずれかが選定される。
【００６０】
例えば、図５のようにヘッド（１）が第１姿勢、かつヘッド（２）が第２姿勢の場合には記録制御（２）が選定され、矢印Ｘ１方向の記録走査時に、ヘッド（１）からＣ→Ｍ→Ｙの順にインクを吐出し、ヘッド（２）がＹ→Ｍ→Ｃの順にインクを吐出する。この場合、ヘッド（１），（２）の１走査による記録領域６１（図６（Ａ））は、単一の記録ヘッドの１走査による記録領域６２（図６（Ｂ））の２倍となる。記録制御部１００Ｂは、記録モードを高速記録モードに切り換えて、単一の記録ヘッドによって記録する場合に比べて、１記録走査毎における被記録媒体２５の送り量（紙送り量）を２倍の０．４２インチに設定する。これにより、記録時間を短縮することができる。また、主走査方向における記録密度を１２００ｄｐｉ（ドット／インチ）とし、キャリッジスピードは２０インチ／秒とする。
【００６１】
このような記録制御（２）の場合とは逆に、ヘッド（１）が第２姿勢、かつヘッド（２）が第１姿勢の場合には記録制御（３）が選定され、ヘッド（１），（２）からのインクの吐出順序は記録制御（２）の場合とは逆になる。このような記録制御（２），（３）は、高速双方向記録モードが設定されたときに実行される。
【００６２】
また、ヘッド（１），（２）がいずれも第１姿勢の場合には記録制御（１）が選定され、それらのインクの吐出順序がＣ→Ｍ→Ｙとなる。したがって、単一の記録ヘッドの記録領域を２つの記録ヘッドによって記録できることになる。記録制御部１００Ｂは、記録モードを高精細記録モードに切り換えて、単一の記録ヘッドによって記録する場合に比べて、主走査方向における記録密度を２倍の２４００ｄｐｉに設定する。これにより、高精細な画像を記録することができる。この場合には、被記録媒体２５の送り量（紙送り量）は０．２１インチとなる。
【００６３】
このような記録制御（１）の場合とは逆に、ヘッド（１），（２）がいずれも第２姿勢の場合には記録制御（４）が選定され、それらのインクの吐出順序がＹ→Ｍ→Ｃとなる。このような記録制御（１），（４）は、高精細記録モードが設定されたときに実行される。
【００６４】
また、ヘッド（１）のみが第１姿勢によって装着された単一ヘッドの場合には、図１５中の左欄のように、その単一ヘッドからインクの吐出順序がＣ→Ｍ→Ｙとなる。また、被記録媒体２５の送り量（紙送り量）は０．２１インチ。主走査方向における記録密度は１２００ｄｐｉ、キャリッジスピードは２０インチ／秒となる。
【００６５】
図１５の記録制御テーブルにおける信号配置（２）は、ヘッド（２）に対するシアン、マゼンタ、イエローの画像信号の関係（信号配置）であり、ヘッド（２）の装着姿勢に応じて第１または第２配置が選定される。同様に、ヘッド（１）の装着姿勢に応じて、そのヘッド（２）に対する画像信号の関係（信号配置）が選定される。これにより、記録ヘッド（１），（２）の装着姿勢に応じて、それらの電気コンタクト３１の端子に対して、それらに対応する信号を送信することができる。
【００６６】
制御部１００は、このように記録ヘッド２１の装着位置および装着姿勢に応じて、シアン、マゼンタ、イエローの画像信号を吐出タイミング信号に変換したり、記録ヘッド２１の電気コンタクト３１の各端子に、それらに対応した信号を送信するように制御する。シアン、マゼンタ、イエローの画像信号は、装着された記録ヘッド２１における各ノズル列の副走査方向の位置、間隔、および吐出するインク色の並び順序に応じて、吐出タイミング信号に変換される。
【００６７】
このようにして記録制御方法を確定した後は、その記録制御方法により記録を開始して記録動作を行う（ステップＳ７０４，Ｓ７０５）。その記録方法は、所望の画像の記録が終了するまで適用される。
【００６８】
このように、ヘッド回転判別部１００Ａが記録ヘッド２１の装着方向（装着姿勢）を読み取り、その装着姿勢に応じた記録制御を行うことにより、記録ヘッド２１の装着姿勢に応じてノズルの配置構成を様々に変更しても所望の画像を確実に記録することができる。
【００６９】
本実施形態における記録装置の特徴的な構成を挙げると次のとおりである。
【００７０】
ヘッド装着部は、被記録媒体に沿って往復移動するキャリッジに設けられ、かつ記録ヘッドを２つ以上装着可能である。そのヘッド装着部に同じ姿勢で装着された２つ以上の同一の記録ヘッドを用いて記録をするときに、制御手段は、記録ヘッドを１つ用いて画像を記録するときよりもキャリッジの移動方向における記録密度を高める高精細記録モードを設定する。その場合、制御手段は、ヘッド装着部に同じ姿勢で装着された２つの同一の記録ヘッドを用いて記録をするときに、記録ヘッドを１つ用いて画像を記録するときよりもキャリッジの移動方向における記録密度が２倍に高い高精細記録モードを設定する。
【００７１】
また制御手段は、ヘッド装着部に異なる姿勢で装着された２つ以上の同一の記録ヘッドを用いて記録をするときに、高速双方向記録モードを設定する。その高速双方向記録モードにおいては、記録ヘッドを１つ用いて画像を記録するときよりもキャリッジの移動速度を高くし、かつキャリッジの双方向移動時に画像を記録する。その場合、制御手段は、ヘッド装着部に異なる姿勢で装着された２つの同一の記録ヘッドを用いて記録をするときに、次のような高速双方向記録モードを設定する。すなわち、記録ヘッドを１つ用いて画像を記録するときよりもキャリッジの移動速度を２倍に高くし、かつキャリッジの双方向移動時に画像を記録する。
【００７２】
また制御手段は、ヘッド装着部に異なる姿勢で装着された２つ以上の同一の記録ヘッドを用いて記録をするときに、高速記録モードを設定する。その高速記録モードにおいては、記録ヘッドを１つ用いて画像を記録するときよりも、キャリッジの移動方向と交差する方向における被記録媒体の間欠的な搬送量を大きくする。その場合、制御手段は、ヘッド装着部に異なる姿勢で装着された２つの同一の記録ヘッドを用いて記録をするときに、次のような高速記録モードを設定する。すなわち、記録ヘッドを１つ用いて画像を記録するときよりも、キャリッジの移動方向と交差する方向における被記録媒体の間欠的な搬送量を２倍に大きくする。
【００７３】
（第５の実施形態）
図１６は、前述した第２の実施形態（図１０，１１参照）の記録ヘッド２１を用いて画像を記録する場合の記録制御テーブルの説明図である。記録ヘッドの装着姿勢に応じて記録制御する場合のフローチャートは、前述した第４の実施形態の図１４と同様であるため、その説明は省略する。
【００７４】
まずは、図１４のステップＳ７０１にて、キャリッジ２２に装着されている記録ヘッド２１の装着方向（装着姿勢）を読み取り、その装着姿勢に基づいて図１６の記録制御テーブルを参照する（ステップＳ７０２）。そして、その参照結果に応じて、記録制御部１００Ｂが記録モードを確定する（ステップＳ７０３）。
【００７５】
図１１のように、左側のヘッド（１）が第１姿勢かつ右側のヘッド（２）が第２姿勢の場合には、記録制御方法として記録制御（２）が選定される。また逆に、左側のヘッド（１）が第２姿勢かつ右側のヘッド（２）が第１姿勢の場合には、記録制御方法として記録制御（３）が選定される。これらの場合には、前述したように、ヘッド（1），（２）におけるノズルの配列構成がＣ，Ｍ，Ｙ，Ｙ，Ｍ，Ｃの対称的な色順となり、双方向記録時に発生していたバンド状の色むらを抑制することができる。したがって、単一の記録ヘッドによって記録を行う場合に比べて、記録パス数（記録走査数）を減少させ、さらにキャリッジスピードも２倍にすることができる。このような高速双方向記録モードに切り替えることにより、高品位な画像を高速記録することができる。
【００７６】
また、ヘッド（１），（２）がいずれも第１姿勢の場合、または、それらがいずれも第２姿勢の場合には、単一の記録ヘッドによって記録を行う領域を２つのヘッド（１），（２）によって記録することになる。そのため、単一の記録ヘッドによって記録を行う場合に比べて、キャリッジスピードを２倍にすることができる。このような高速記録モードに切り替えることにより、短時間で画像を記録することができる。
【００７７】
制御部１００は、このように記録ヘッド２１の装着位置および装着姿勢に応じて、シアン、マゼンタ、イエローの画像信号を吐出タイミング信号に変換したり、記録ヘッド２１の電気コンタクト３１の各端子に、それらに対応した信号を送信するように制御する。シアン、マゼンタ、イエローの画像信号は、装着された記録ヘッド２１における各ノズル列の副走査方向の位置、間隔、および吐出するインク色の並び順序に応じて、吐出タイミング信号に変換される。
【００７８】
このようにして記録制御方法を確定した後は、その記録制御方法により記録を開始して記録動作を行う（ステップＳ７０４，Ｓ７０５）。その記録方法は、所望の画像の記録が終了するまで適用される。
【００７９】
このように、ヘッド回転判別部１００Ａが記録ヘッド２１の装着方向（装着姿勢）を読み取り、その装着姿勢に応じた記録制御を行うことにより、記録ヘッド２１の装着姿勢に応じてノズルの配置構成を様々に変更しても所望の画像を確実に記録することができる。
【００８０】
本実施形態における記録装置の特徴的な構成を挙げると次のとおりである。
【００８１】
ヘッド装着部は、被記録媒体に沿って往復移動するキャリッジに設けられ、かつ記録ヘッドを２つ以上装着可能である。制御手段は、ヘッド装着部に同じ姿勢で装着された２つの同一の記録ヘッドを用いて記録をするときに、記録ヘッドを１つ用いて画像を記録するときよりもキャリッジの移動速度が２倍に高い高速記録モードを設定する。
【００８２】
また制御手段は、ヘッド装着部に異なる姿勢で装着された２つ以上の同一の記録ヘッドを用いて記録をするときに、高速双方向記録モードを設定する。その高速双方向記録モードにおいては、記録ヘッドを１つ用いて画像を記録するときよりもキャリッジの移動速度を高くし、かつキャリッジの双方向移動時に画像を記録する。その場合、制御手段は、ヘッド装着部に異なる姿勢で装着された２つの同一の記録ヘッドを用いて記録をするときに、次のような高速双方向記録モードを設定する。すなわち、記録ヘッドを１つ用いて画像を記録するときよりもキャリッジの移動速度を２倍に高くし、かつキャリッジの双方向移動時に画像を記録する。
【００８３】
（第６の実施形態）
図１７は、本発明の第６の実施形態を説明するための図である。本実施形態においては、前述した第１の実施形態（図１から図１０参照）における図４の構成に換えて、第１，第２電気コンタクト３１ａ，３１ｂと記録チップ３４との接続関係を図１７のように構成する。第１の実施形態と同様の部分には同一符号を付して、その説明を省略する。
【００８４】
電気コンタクト３１（３１ａ，３１ｂ）は、図１７のように、記録チップ３４の電気接続部３３（３３ａ，３３ｂ）に電気的に接続されている。すなわち、第１の電気接合部３３ａの端子は、電気配線部材３２を介して第１の電気コンタクト３１ａに電気的に接続され、また第２の電気接合部３３ｂは、電気配線部材３２を介して第２の電気コンタクト３１ｂと電気的に接続されている。記録信号は、両方の電気コンタクト３１ａ，３１ｂから記録チップ３４に伝達される。さらに、電気コンタクト３１（３１ａ，３１ｂ）のそれぞれにはヘッド回転判別端子ＩＤ（ＩＤ１，ＩＤ２）が備えられており、それぞれのヘッド回転判別端子ＩＤ（ＩＤ１，ＩＤ２）には異なる抵抗値の抵抗Ｒａ，Ｒｂが接続されている。
【００８５】
次に、このような構成の記録ヘッドを用いて画像を記録する場合の記録制御方法を、前述した図１４のフローチャートを用いて説明する。
【００８６】
まず、ステップＳ７０１にて、キャリッジ２２に装着されている記録ヘッド２１の装着方向（装着姿勢）を読み取る。本例の場合、ヘッド回転判別部１００Ａ（図７参照）は、キャリッジ２２における電気接続部５１ａ，５１ｂから、それぞれのヘッド回転判別端子ＩＤ１，ＩＤ２に同電圧を印加し、それぞれに流れる電流を読み取る。それぞれのヘッド回転判別端子ＩＤ１，ＩＤ２に接続されている抵抗Ｒａ，Ｒｂの抵抗値は異なっているため、それぞれに流れる電流の大小関係によって、記録ヘッド２１の装着姿勢が第１姿勢であるか第２姿勢であるかの判別ができる。例えば、第１の電気コンタクト３１ａ側の抵抗値Ｒａと第２の電気コンタクト３１ｂ側の抵抗値Ｒｂとの関係がＲａ＞Ｒｂであるときに、第１の電気接合部３３ａに流れる電流値をＩａ、第２の電気接合部３３ｂに流れる電流値をＩｂとする。この場合、記録ヘッド２１を第１姿勢で装着したときは、第１の電気コンタクト３１ａと第１の電気接合部３３ａとが電気的に接合し、かつ第２の電気コンタクト３１ｂと第２の電気接合部３３ｂとが電気的に接合する。そのため、電流はＩａ＜Ｉｂとなる。逆に、記録ヘッド２１を第２姿勢で装着したときは、第１の電気コンタクト３１ａと第２の電気接合部３３ｂとが電気的に接合し、第２の電気コンタクト３１ｂと第１の電気接合部３３ａとが電気的に接合する。そのため、電流はＩａ＞Ｉｂとなる。このように、電流Ｉａ，Ｉｂの関係から、記録ヘッド２１の装着方向（装着姿勢）を判別することができる。
【００８７】
次に、ステップＳ７０２にて図７の記録制御テーブルを参照し（ステップＳ７０２）、ステップＳ７０１の判別結果に応じて、記録制御部１００Ｂ（図７参照）が記録モードを確定する（ステップＳ７０３）。このようにして記録制御方法を確定した後は、その記録制御方法により記録を開始して記録動作を行う（ステップＳ７０４，Ｓ７０５）。その記録方法は、所望の画像の記録が終了するまで適用される。
【００８８】
このように、ヘッド回転判別部１００Ａが記録ヘッド２１の装着方向（装着姿勢）を読み取り、その装着姿勢に応じた記録制御を行うことにより、記録ヘッド２１の装着姿勢に応じてノズルの配置構成を様々に変更しても所望の画像を確実に記録することができる。
【００８９】
本実施形態における記録ヘッドの特徴的な構成は、情報提供手段が第１および第２電気コンタクトに異なる電気抵抗を与えることである。
【００９０】
（第７の実施形態）
図１８は、本発明の第６の実施形態を説明するための図である。第１の実施形態と同様の部分には同一符号を付して、その説明を省略する。
【００９１】
前述した本実施形態において、記録チップ３４と電気配線部材３２を介して接続されている電気コンタクト３１は、記録ヘッド２１の外郭の１側面に設けてられている。さらに、キャリッジ２２における２つのヘッド装着部の内、図１８中左側のヘッド装着部には電気接続ピン５１ａが配置され、図１８中右側のヘッド装着部には電気接続ピン５１ａ，５１ｂが配置されている。
【００９２】
したがって、図１８中右側のヘッド装着部に対しては、記録ヘッド２１を第１姿勢または第２姿勢のいずれの姿勢でも装着しても、電気接続ピン５１ａ，５１ｂの一方が記録ヘッド２１の電気コンタクト３１と対峙する。そのため、その記録ヘッド２１と記録装置本体とを電気的に接続して、その記録ヘッド２１の記録チップ３４に記録信号を伝達することができる。一方、図１８中左側のヘッド装着部に対しては、図のように、記録ヘッド２１を第１姿勢でも装着したときにのみ、電気接続ピン５１ａが記録ヘッド２１の電気コンタクト３１と対峙する。したがって、図１８中左側のヘッド装着部に対しての記録ヘッド２１の装着姿勢は、図のような第１姿勢のみに限定されることになる。図１８中右側のヘッド装着部と同様に、その左側のヘッド装着部に対しても２つの電気接続ピン５１ａ，５１ｂを配置してもよい。この場合には、その左側のヘッド装着部に対して、記録ヘッド２１を第１姿勢または第２姿勢のいずれの姿勢でも装着できることになる。
【００９３】
次に、図１８のように装着された２つの記録ヘッド２１を用いて画像を記録するときの記録制御方法を、前述した図１４のフローチャートを用いて説明する。
【００９４】
まず、ステップＳ７０１にて、キャリッジ２２に装着されている記録ヘッド２１の装着姿勢を読み取る。ヘッド回転判別部１００Ａは、図１８中右側のヘッド装着部における２つの電気接続部５１ａ，５１ｂに電圧を印加して、電流が流れるか否かを判定する。例えば、電気接続部５１ａ，５１ｂにおけるサブヒーター制御用の端子、つまり記録ヘッド内のインクの温度調整用のサブヒーターの制御端子に電圧を印加して、電流が流れるか否かを判定する。２つの電気接続部５１ａ，５１ｂの内、その電流が流れた方が記録ヘッド２１の電気コンタクト３１と接続していることになる。したがって、２つの電気接続部５１ａ，５１ｂのどちらに電流が流れかによって、記録ヘッド２１の装着姿勢を判定することができる。
【００９５】
本例のように、電気接続部５１ａ，５１ｂにおける既存の端子を利用して、記録ヘッド２１の装着姿勢を判定することにより、前述した図４におけるヘッド回転判別端子ＩＤ（ＩＤ１，ＩＤ２）のような特別な端子を設ける必要はなくなる。
【００９６】
次に、ステップＳ７０２にて図７の記録制御テーブルを参照し（ステップＳ７０２）、ステップＳ７０１の判別結果に応じて、記録制御部１００Ｂ（図７参照）が記録モードを確定する（ステップＳ７０３）。このようにして記録制御方法を確定した後は、その記録制御方法により記録を開始して記録動作を行う（ステップＳ７０４，Ｓ７０５）。その記録方法は、所望の画像の記録が終了するまで適用される。
【００９７】
このように、ヘッド回転判別部１００Ａが記録ヘッド２１の装着方向（装着姿勢）を読み取り、その装着姿勢に応じた記録制御を行うことにより、記録ヘッド２１の装着姿勢に応じてノズルの配置構成を様々に変更しても所望の画像を確実に記録することができる。
【００９８】
なお、キャリッジ２２における記録ヘッド２１の装着位置、および電気接続ピン５１ａ，５１ｂの形成位置を考慮することにより、キャリッジ２２に対して３つ以上の記録ヘッド２１を装着するようにも構成できる。この場合、各記録ヘッド２１のノズル列３５は、キャリッジ２２の移動方向と交差する方向（本例においては、直交する方向）にずれるように位置することになる。
【００９９】
（他の実施形態）
本発明は、インクタンクと一体に構成されたインクジェット記録ヘッドの他、インクタンクと別体に構成されたインクジェット記録ヘッドにも適用することができる。また、本発明はインクジェット記録ヘッドに特定されず、種々の記録素子を備えた記録ヘッドとしても広く適用することができる。ここで記録素子は、被記録媒体にインクや熱などを付与して、潜像を含めた画像の記録が可能な素子であればよい。
【０１００】
また、本発明はインクジェット記録装置のみに特定されず、このような種々の記録ヘッドを用いた記録装置に対しても広く適用することができる。また本発明は、上述したようなシリアルスキャン方式の他、種々の記録方式の記録装置に対しても適用可能である。
【図面の簡単な説明】
【０１０１】
【図１】本発明の第１の実施形態におけるインクジェット記録装置の要部の概略斜視図である。
【図２】図１のインクジェット記録装置に用いられる記録ヘッドの斜視図である。
【図３】図２のＩＩＩ矢視図である。
【図４】図１のインクジェット記録装置に用いられる記録ヘッドの配線図である。
【図５】図１のインクジェット記録装置に対する記録ヘッドの装着形態の一例を説明するためのキャリッジの底面図である。
【図６】（Ａ），（Ｂ）は、図１のインクジェット記録装置に対する記録ヘッドの装着形態に対応する１走査当たりの記録可能範囲の説明図である。
【図７】図１のインクジェット記録装置の制御系のブロック構成図である。
【図８】図１のインクジェット記録装置に対する記録ヘッドの装着形態の他の例を説明するためのキャリッジの底面図である。
【図９】図１のインクジェット記録装置に対する記録ヘッドの装着形態のさらに他の例を説明するためのキャリッジの底面図である。
【図１０】本発明の第２の実施形態における記録ヘッドの底面図である。
【図１１】図１０の記録ヘッドの装着形態の一例を説明するためのキャリッジの底面図である。
【図１２】本発明の第３の実施形態における記録ヘッドの配線図である。
【図１３】本発明の第３の実施形態における記録ヘッドの装着形態の一例を説明するためのキャリッジの底面図である。
【図１４】本発明の第４の実施形態における記録制御方法を説明するためのフローチャートである。
【図１５】図１４の記録制御方法において参照される記録制御テーブルの説明図である。
【図１６】本発明の第５の実施形態において参照される記録制御テーブルの説明図である。
【図１７】本発明の第６の実施形態おける記録ヘッドの配線図である。
【図１８】本発明の第７の実施形態における記録ヘッドの装着形態の一例を説明するためのキャリッジの底面図である。
【符号の説明】
【０１０２】
１１    中心軸
２１（２１Ｃ，２１Ｋ）    記録ヘッド
２２    キャリッジ
２５    被記録媒体
３１（３１ａ，３１ｂ）    電気コンタクト
３２    電気配線部材
３３（３３ａ，３３ｂ）    電気接合部
３４    記録チップ
３５（３５Ｙ，３５Ｍ，３５Ｃ，３５Ｋ）    ノズル列
５１（５１ａ，５１ｂ）    電気接続ピン
６１，６２    記録範囲
１００    制御部
１００Ａ    ヘッド回転判別部
１００Ｂ    記録制御部
【図１】
2007144713.tif 000003
【図２】
2007144713.tif 000004
【図３】
2007144713.tif 000005
【図４】
2007144713.tif 000006
【図５】
2007144713.tif 000007
【図６】
2007144713.tif 000008
【図７】
2007144713.tif 000009
【図８】
2007144713.tif 000010
【図９】
2007144713.tif 000011
【図１０】
2007144713.tif 000012
【図１１】
2007144713.tif 000013
【図１２】
2007144713.tif 000014
【図１３】
2007144713.tif 000015
【図１４】
2007144713.tif 000016
【図１５】
2007144713.tif 000017
【図１６】
2007144713.tif 000018
【図１７】
2007144713.tif 000019
【図１８】
2007144713.tif 000020